(57)【要約】      （修正有）【課題】利便性を向上させることができる電子時計、及びプログラムを提供する。【解決手段】電子時計１０は、時刻を表示する第１表示部１６１及び第２表示部１６２を含む時刻表示部１６と、第１表示部１６１が表示する第１時刻を、受信した時刻に関する時刻情報に基づく時刻に変更させる第１変更指示を出力するとともに、第２表示部１６２が表示する第２時刻を、時刻情報に基づく時刻に変更する前に第１表示部１６１に表示されていた変更前時刻に変更させる第２変更指示を出力する制御部１７と、制御部１７が出力した第１変更指示に基づいて、第１時刻を変更するとともに、制御部１７が出力した第２変更指示に基づいて、第２時刻を変更する表示駆動部１５とを備える。【選択図】図１
2017015399.tif 000002
【特許請求の範囲】
【請求項１】
時刻を表示する第１時刻表示部及び第２時刻表示部を含む時刻表示部と、
前記第１時刻表示部が表示する第１時刻を、受信した時刻に関する時刻情報に基づく時刻に変更させる第１変更指示を出力するとともに、前記第２時刻表示部が表示する第２時刻を、前記時刻情報に基づく時刻に変更する前に前記第１時刻表示部に表示されていた変更前時刻に変更させる第２変更指示を出力する制御部と、
前記制御部が出力した前記第１変更指示に基づいて、前記第１時刻を変更するとともに、前記制御部が出力した前記第２変更指示に基づいて、前記第２時刻を変更する表示駆動部と
を備えることを特徴とする電子時計。
【請求項２】
前記制御部は、前記第１変更指示が地域を移動したことに起因する場合に、前記第２変更指示を出力し、前記第１変更指示が地域を移動したことに起因しない場合に、前記第２変更指示の出力を禁止する
ことを特徴とする請求項１に記載の電子時計。
【請求項３】
前記制御部は、前記時刻情報に基づく時刻と、前記変更前時刻との差が、所定の値以内である場合に、前記第２変更指示の出力を禁止する
ことを特徴とする請求項１又は請求項２に記載の電子時計。
【請求項４】
前記時刻情報には、修正する時刻を示す情報が含まれ、
前記制御部は、前記修正する時刻を示す情報に基づいて、前記第１変更指示を出力する
ことを特徴とする請求項１から請求項３のいずれか一項に記載の電子時計。
【請求項５】
前記時刻情報には、共通の標準時を使用する地域を示すタイムゾーン情報が含まれ、
前記制御部は、受信した前記タイムゾーン情報が前回受信した前記タイムゾーン情報と等しい場合に、前記第２変更指示の出力を禁止する
ことを特徴とする請求項１から請求項４のいずれか一項に記載の電子時計。
【請求項６】
前記時刻情報には、季節に応じて標準時を変更するサマータイム情報が含まれ、
前記制御部は、前記サマータイム情報に基づいて前記第１時刻を変更する場合に、前記第２変更指示の出力を禁止する
ことを特徴とする請求項１から請求項４のいずれか一項に記載の電子時計。
【請求項７】
前記制御部は、前記第２時刻が、予め定められた所定の地域に対応する時刻であり、且つ、前記時刻情報に基づく時刻が、前記所定の地域に対応する時刻と異なる場合に、前記第２変更指示の出力を禁止する
ことを特徴とする請求項１から請求項６のいずれか一項に記載の電子時計。
【請求項８】
前記時刻表示部は、さらに第３時刻表示部を含み、
前記制御部は、前記第２時刻が、前記所定の地域に対応する時刻であり、且つ、前記時刻情報に基づく時刻が、前記所定の地域に対応する時刻と異なる場合に、前記第３時刻表示部が表示する第３時刻を、前記変更前時刻に変更させる第３変更指示を出力する
ことを特徴とする請求項７に記載の電子時計。
【請求項９】
前記時刻情報を無線通信により受信する受信部と、
少なくとも前記受信部及び前記表示駆動部を動作させる電力を発電する太陽電池と
を備えることを特徴とする請求項１から請求項８のいずれか一項に記載の電子時計。
【請求項１０】
時刻を表示する第１時刻表示部及び第２時刻表示部を含む時刻表示部と、前記時刻表示部に表示する時刻を変更する表示駆動部とを備える電子時計としてのコンピュータに、
前記表示駆動部により、前記第１時刻表示部が表示する第１時刻を、受信した時刻に関する時刻情報に基づく時刻に変更させる第１変更指示を出力するステップと、
前記表示駆動部により、前記第２時刻表示部が表示する第２時刻を、前記時刻情報に基づく時刻に変更する前に前記第１時刻表示部に表示されていた変更前時刻に変更させる第２変更指示を出力するステップと
を実行させるためのプログラム。
【発明の詳細な説明】
【技術分野】
【０００１】
本発明は、電子時計、及びプログラムに関する。
【背景技術】
【０００２】
時刻を表示可能な複数の時刻表示部を備え、複数の時刻を各時刻表示部に表示するとともに、表示する時刻の入れ替えを選択的に行う電子時計が知られている（例えば、特許文献１を参照）。
【先行技術文献】
【特許文献】
【０００３】
【特許文献１】特開２０１４−１８２０４７号公報
【発明の概要】
【発明が解決しようとする課題】
【０００４】
しかしながら、上述した電子時計は、例えば、使用者の位置する地域の時刻と、使用頻度の高い地域の時刻とを入れ替えて表示する場合に、予め使用頻度の高い地域を設定しておく必要があるとともに、電子時計が備えるスイッチなどを操作して、表示する時刻を入れ替える必要があった。このように、上述した電子時計は、所望の時刻を得るために、使用者による煩雑な操作を必要とする場合があった。
【０００５】
本発明は、上記問題を解決すべくなされたもので、その目的は、利便性を向上させることができる電子時計、及びプログラムを提供することにある。
【課題を解決するための手段】
【０００６】
上記問題を解決するために、本発明の一態様は、時刻を表示する第１時刻表示部及び第２時刻表示部を含む時刻表示部と、前記第１時刻表示部が表示する第１時刻を、受信した時刻に関する時刻情報に基づく時刻に変更させる第１変更指示を出力するとともに、前記第２時刻表示部が表示する第２時刻を、前記時刻情報に基づく時刻に変更する前に前記第１時刻表示部に表示されていた変更前時刻に変更させる第２変更指示を出力する制御部と、前記制御部が出力した前記第１変更指示に基づいて、前記第１時刻を変更するとともに、前記制御部が出力した前記第２変更指示に基づいて、前記第２時刻を変更する表示駆動部とを備えることを特徴とする電子時計である。
【０００７】
また、本発明の一態様は、上記の電子時計において、前記制御部は、前記第１変更指示が地域を移動したことに起因する場合に、前記第２変更指示を出力し、前記第１変更指示が地域を移動したことに起因しない場合に、前記第２変更指示の出力を禁止することを特徴とする。
【０００８】
また、本発明の一態様は、上記の電子時計において、前記制御部は、前記時刻情報に基づく時刻と、前記変更前時刻との差が、所定の値以内である場合に、前記第２変更指示の出力を禁止することを特徴とする。
【０００９】
また、本発明の一態様は、上記の電子時計において、前記時刻情報には、修正する時刻を示す情報が含まれ、前記制御部は、前記修正する時刻を示す情報に基づいて、前記第１変更指示を出力することを特徴とする。
【００１０】
また、本発明の一態様は、上記の電子時計において、前記時刻情報には、共通の標準時を使用する地域を示すタイムゾーン情報が含まれ、前記制御部は、受信した前記タイムゾーン情報が前回受信した前記タイムゾーン情報と等しい場合に、前記第２変更指示の出力を禁止することを特徴とする。
【００１１】
また、本発明の一態様は、上記の電子時計において、前記時刻情報には、季節に応じて標準時を変更するサマータイム情報が含まれ、前記制御部は、前記サマータイム情報に基づいて前記第１時刻を変更する場合に、前記第２変更指示の出力を禁止することを特徴とする。
【００１２】
また、本発明の一態様は、上記の電子時計において、前記制御部は、前記第２時刻が、予め定められた所定の地域に対応する時刻であり、且つ、前記時刻情報に基づく時刻が、前記所定の地域に対応する時刻と異なる場合に、前記第２変更指示の出力を禁止することを特徴とする。
【００１３】
また、本発明の一態様は、上記の電子時計において、前記時刻表示部は、さらに第３時刻表示部を含み、前記制御部は、前記第２時刻が、前記所定の地域に対応する時刻であり、且つ、前記時刻情報に基づく時刻が、前記所定の地域に対応する時刻と異なる場合に、前記第３時刻表示部が表示する第３時刻を、前記変更前時刻に変更させる第３変更指示を出力することを特徴とする。
【００１４】
また、本発明の一態様は、上記の電子時計において、前記時刻情報を無線通信により受信する受信部と、少なくとも前記受信部及び前記表示駆動部を動作させる電力を発電する太陽電池とを備えることを特徴とする。
【００１５】
また、本発明の一態様は、時刻を表示する第１時刻表示部及び第２時刻表示部を含む時刻表示部と、前記時刻表示部に表示する時刻を変更する表示駆動部とを備える電子時計としてのコンピュータに、前記表示駆動部により、前記第１時刻表示部が表示する第１時刻を、受信した時刻に関する時刻情報に基づく時刻に変更させる第１変更指示を出力するステップと、前記表示駆動部により、前記第２時刻表示部が表示する第２時刻を、前記時刻情報に基づく時刻に変更する前に前記第１時刻表示部に表示されていた変更前時刻に変更させる第２変更指示を出力するステップとを実行させるためのプログラムである。
【発明の効果】
【００１６】
本発明によれば、受信した時刻情報に基づいて、第１時刻表示部及び第２時刻表示部に表示する時刻を適切に変更するので、利便性を向上させることができる。
【図面の簡単な説明】
【００１７】
【図１】第１の実施形態による時計システムの一例を示すブロック図である。
【図２】第１の実施形態による電子時計の表示例を示す第１の図である。
【図３】第１の実施形態による電子時計の表示例を示す第２の図である。
【図４】第１の実施形態による電子時計の動作の一例を示すフローチャートである。
【図５】第１の実施形態による電子時計の動作の第１変形例を示すフローチャートである。
【図６】第１の実施形態による電子時計の動作の第２変形例を示すフローチャートである。
【図７】第１の実施形態による電子時計の動作の第３変形例を示すフローチャートである。
【図８】第２の実施形態による時計システムの一例を示すブロック図である。
【図９】第２の実施形態による電子時計の表示例を示す図である。
【図１０】第２の実施形態の変形例（第４変形例）による電子時計の表示例を示す図である。
【図１１】第３の実施形態による時計システムの一例を示すブロック図である。
【発明を実施するための形態】
【００１８】
以下、本発明の一実施形態による電子時計について図面を参照して説明する。
（第１の実施形態）
図１は、第１の実施形態による時計システム１を示す概略ブロック図である。
図１に示すように、時計システム１は、電子時計１０と、携帯機器２０とを備えている。
【００１９】
電子時計１０は、例えば、腕時計などの時計であり、携帯機器２０と無線通信により接続可能である。電子時計１０は、通信部１１と、記憶部１２と、計時回路１３と、モータドライバ１４と、表示駆動部１５と、時刻表示部１６と、制御部１７と、電力供給部１８とを備えている。
なお、本実施形態では、電子時計１０が、文字盤と指針とにより時刻を表示するアナログ時計である場合の一例について説明する。
【００２０】
通信部１１（受信部の一例）は、携帯機器２０との間で、例えば、ブルートゥース（登録商標）などのインターフェースにより無線通信する。通信部１１は、任意に通信可能状態に設定された後、時刻に関する時刻情報を携帯機器２０から受信する。ここで、時刻情報には、例えば、時刻表示部１６に表示する表示時刻を修正する時刻が含まれる。通信部１１は、受信した時刻情報を制御部１７に出力する。
【００２１】
記憶部１２は、電子時計１０の各種処理において利用される各種情報を記憶する。記憶部１２は、例えば、使用頻度の高いホームの地域（以下、ホーム地域という）を示す情報や時刻表示部１６が表示する表示時刻にホーム地域に対応する時刻が含まれるか否かを示す情報などを記憶する。なお、本実施形態において、ホーム地域は、予め定められた所定の地域の一例である。
【００２２】
計時回路１３は、例えば、発振回路、レジスタ回路、カウンタ回路およびインターフェース回路等を内蔵する集積回路であり、時刻を計時する。また、計時回路１３は、時刻の計時に伴い、時刻表示部１６に表示する時刻を進めるための駆動指示をモータドライバ１４に出力する。
【００２３】
モータドライバ１４は、表示駆動部１５（モータ１５１及びモータ１５２）を駆動するモータ駆動信号を出力する。
表示駆動部１５は、時刻表示部１６に表示する時刻を進めるため、又は時刻を変更（修正）するための駆動動作を実行する。表示駆動部１５は、例えば、計時回路１３からがモータドライバ１４に出力した駆動指示に基づいて、時刻表示部１６に表示する時刻を進める。また、表示駆動部１５は、例えば、後述する制御部１７がモータドライバ１４に出力した時刻の変更指示に基づいて、時刻表示部１６に表示する時刻を変更（修正）する。また、表示駆動部１５は、モータ１５１と、モータ１５２とを備えている。
【００２４】
モータ１５１及びモータ１５２は、例えば、ステッピングモータである。モータ１５１は、後述する第１表示部１６１の指針を移動させて、時刻を進める又は変更する。また、モータ１５２は、後述する第２表示部１６２の指針を移動させて、時刻を進める又は変更する。
【００２５】
時刻表示部１６は、例えば、文字盤及び指針を含み、文字盤上の指針の角度により時刻を表示する。なお、指針には、例えば、時を示す時針、分を示す分針、及び秒を示す秒針を含んでもよい。また、時刻表示部１６は、時刻を表示する第１表示部１６１及び第２表示部１６２を含んでいる。
第１表示部１６１（第１時刻表示部の一例）は、例えば、時刻表示部１６の中央部に配置され、文字盤上の指針の角度により第１時刻を表示する。
第２表示部１６２（第２時刻表示部の一例）は、例えば、時刻表示部１６の下方部に配置され、文字盤上の指針の角度により第２時刻を表示する。
【００２６】
制御部１７は、例えば、ＣＰＵ（Ｃｅｎｔｒａｌ  Ｐｒｏｃｅｓｓｉｎｇ  Ｕｎｉｔ）などを含むプロセッサであり、電子時計１０を統括的に制御する。制御部１７は、例えば、第１表示部１６１が表示する第１時刻を、通信部１１が受信した時刻に関する時刻情報に基づく時刻に変更させる第１変更指示を出力する。すなわち、通信部１１が、例えば、時刻情報を含む時刻の修正指示を受信した場合に、制御部１７は、時刻情報に基づいて変更させる時刻である変更時刻を生成する。そして、制御部１７は、第１表示部１６１が表示する第１時刻を当該変更時刻に変更させる変更指示（第１変更指示）をモータドライバ１４に出力する。また、制御部１７は、例えば、第２表示部１６２が表示する第２時刻を、時刻情報に基づく時刻に変更する前に第１表示部１６１に表示されていた変更前時刻に変更させる第２変更指示をモータドライバ１４に出力する。
【００２７】
このように、制御部１７は、通信部１１が時刻の修正指示を受信した場合に、第１表示部１６１が表示する第１時刻を時刻情報に基づく変更時刻に変更（修正）させる。そして、制御部１７は、さらに、制御部１７は、第２表示部１６２が表示する第２時刻を、変更前時刻に変更（修正）させる。すなわち、制御部１７は、変更前に表示されていた第１表示部１６１が表示する第１時刻を第２表示部１６２が表示する第２時刻に移動する。
【００２８】
例えば、第１時刻にホーム地域の時刻を表示しており、記憶部１２には、第１時刻がホーム地域に対応する時刻であることを示す情報が記憶されているものとする。このような状態において、電子時計１０及び携帯機器２０を所持した使用者がホーム地域以外の地域（ローカル地域）に移動した場合に、通信部１１が携帯機器２０から当該地域に対応する時刻に修正する修正指示を受信すると、制御部１７は、修正指示に基づいて第１時刻を変更時刻に変更させるとともに、第２時刻を第１時刻の変更前時刻に変更させる。また、制御部１７は、第２時刻がホーム地域に対応する時刻であることを示す情報を記憶部１２に記憶させる。これにより、電子時計１０は、第１表示部１６１が移動先地域に対応する時刻を表示し、第２表示部１６２がホーム地域に対応する時刻を表示する。
【００２９】
また、制御部１７は、第２時刻がすでにホーム地域に対応する時刻であり、且つ、変更時刻が、ホーム地域に対応する時刻と異なる場合に、第２変更指示の出力を禁止する。すなわち、第２時刻がすでにホーム地域に対応する時刻である場合に、電子時計１０及び携帯機器２０を所持した使用者がホーム地域以外の地域（ローカル地域）に移動した場合に、制御部１７は、第２時刻を第１時刻の変更前時刻に変更させずに、ホーム地域に対応する時刻の表示を維持させる。
【００３０】
なお、上述した時刻情報には、例えば、修正する時刻を示す情報が含まれるものとする。この場合、制御部１７は、修正する時刻を示す情報に基づいて、第１変更指示及び第２変更指示を出力する。すなわち、制御部１７は、修正する時刻を示す情報に基づいて、変更時刻を生成し、第１時刻を変更時刻に変更する第１変更指示をモータドライバ１４に出力する。さらに、制御部１７は、第２時刻を、時刻情報に基づく時刻に変更する前に第１表示部１６１に表示されていた変更前時刻に変更させる第２変更指示をモータドライバ１４に出力する。
【００３１】
電力供給部１８は、電子時計１０の各部を動作させる電力を各部に供給する。電力供給部１８は、例えば、太陽電池１８１と、蓄電池１８２とを備えている。
太陽電池１８１は、光により発電し、発電した電力を蓄電池１８２に充電するとともに、電子時計１０の各部に電力を供給する。太陽電池１８１は、例えば、少なくとも通信部１１及び表示駆動部１５を動作させる電力を発電する。
蓄電池１８２は、例えば、充電可能な二次電池や大容量のコンデンサなどであり、太陽電池１８１が発電した電力を蓄電（充電）するとともに、太陽電池１８１による電力が低下した場合に、電子時計１０の各部に電力を供給する。
【００３２】
携帯機器２０は、例えば、スマートフォンなどの携帯電話であり、電子時計１０と無線通信により接続可能である。携帯機器２０は、上述した時刻情報を含む時刻の修正指示を、無線通信により電子時計１０に送信する。携帯機器２０は、第１通信部２１と、第２通信部２２と、機器制御部２３とを備えている。
【００３３】
第１通信部２１は、例えば、第３世代移動体通信システム（３Ｇ）、第４世代移動体通信システム（４Ｇ）、無線ＬＡＮ（Ｌｏｃａｌ  Ａｒｅａ  Ｎｅｔｗｏｒｋ：ローカルエリアネットワーク）等のインターフェースにより無線通信する。第１通信部２１は、例えば、携帯電話のサービスを提供する携帯電話会社（携帯電話キャリア）のサーバ装置と無線通信し、携帯機器２０が存在する地域の時刻情報を取得する。
【００３４】
第２通信部２２は、電子時計１０との間で、例えば、ブルートゥース（登録商標）などのインターフェースにより無線通信する。第２通信部２２は、時刻に関する時刻情報を電子時計１０に送信する。
【００３５】
機器制御部２３は、例えば、ＣＰＵなどを含むプロセッサであり、携帯機器２０を統括的に制御する。機器制御部２３は、例えば、第１通信部２１が、携帯機器２０が存在する地域の時刻情報を取得した場合に、携帯機器２０の時計機能の時刻を取得した時刻情報に基づいて修正する。さらに、機器制御部２３は、第２通信部２２に、時刻情報を含む時刻の修正指示を電子時計１０に向けて送信させる。
【００３６】
次に、図面を参照して、本実施形態の時計システム１の動作について説明する。
ここでは、まず、図２及び図３を参照して、本実施形態による電子時計１０の動作における表示例について説明する。
図２は、本実施形態による電子時計１０の表示例を示す第１の図である。
図２（ａ）は、電子時計１０及び携帯機器２０を所持した使用者がホーム地域にいる場合における電子時計１０の表示例を示している。
図２（ａ）に示す例では、第１表示部１６１が表示する第１時刻であるホーム地域に対応する時刻が、“１０時０８分”であり、第２表示部１６２が表示する第２時刻であるローカル地域に対応する時刻が“０６時０８分”であることを示している。
【００３７】
図２（ｂ）は、電子時計１０及び携帯機器２０を所持した使用者がローカル地域（第１のローカル地域）に移動した場合における電子時計１０の表示例を示している。この場合、携帯機器２０の第１通信部２１が、携帯電話キャリアのサーバ装置から時刻情報（例えば、第１のローカル地域に対応する“１２時０８分”であるという時刻情報）を取得し、機器制御部２３は、携帯機器２０の時計機能の時刻を“１２時０８分”に修正する。そして、機器制御部２３は、第２通信部２２に、時刻情報を含む時刻の修正指示（時刻を“１２時０８分”に修正する修正指示）を電子時計１０に向けて送信させる。
【００３８】
電子時計１０の制御部１７は、通信部１１が時刻の修正指示を受信した場合に、第１表示部１６１が表示する第１時刻を時刻情報に基づく変更時刻に変更（修正）させる。この例では、制御部１７は、第１のローカル地域に対応する変更時刻“１２時０８分”を時刻表示部１６の第１表示部１６１に表示させる。また、制御部１７は、ホーム地域に対応する時刻“１０時０８分”（変更前時刻）を、第２表示部１６２に表示させる。
【００３９】
具体的に、制御部１７は、第１表示部１６１が表示する第１時刻を“１２時０８分”に変更する第１変更指示をモータドライバ１４に出力し、モータドライバ１４が、第１時刻を“１２時０８分”に変更する駆動信号をモータ１５１に出力する。また、制御部１７は、第２表示部１６２が表示する第２時刻を“１０時０８分”に変更する第２変更指示をモータドライバ１４に出力し、モータドライバ１４が、第２時刻を“１０時０８分”に変更する駆動信号をモータ１５２に出力する。その結果、時刻表示部１６は、図２（ｂ）に示すように、第１表示部１６１が、第１のローカル地域に対応する変更時刻“１２時０８分”を表示し、第２表示部１６２が、ホーム地域に対応する時刻“１０時０８分”を表示する。
【００４０】
また、図２（ｃ）は、電子時計１０及び携帯機器２０を所持した使用者が再びのホーム地域に移動した場合における電子時計１０の表示例を示している。この場合、携帯機器２０の第１通信部２１が、携帯電話キャリアのサーバ装置から時刻情報（ホーム地域に対応する“１０時０８分”であるという時刻情報）を取得し、機器制御部２３は、携帯機器２０の時計機能の時刻を“１０時０８分”に修正する。そして、機器制御部２３は、第２通信部２２に、時刻情報を含む時刻の修正指示（時刻を“１０時０８分”に修正する修正指示）を電子時計１０に向けて送信させる。
【００４１】
電子時計１０の制御部１７は、通信部１１が時刻の修正指示を受信した場合に、第１表示部１６１が表示する第１時刻を時刻情報に基づく変更時刻に変更（修正）させる。この例では、制御部１７は、ホーム地域に対応する変更時刻“１０時０８分”を時刻表示部１６の第１表示部１６１に表示させる。また、制御部１７は、上述した第１のローカル地域に対応する時刻“１２時０８分”（変更前時刻）を、第２表示部１６２に表示させる。
【００４２】
なお、制御部１７は、記憶部１２が記憶する情報に基づいて、再びのホーム地域に移動したと判定してもよいし、修正指示に基づく変更時刻（この場合“１０時０８分”）と、第２表示部１６２が表示していた第２時刻（この場合“１０時０８分”）とを比較して、再びのホーム地域に移動したと判定してもよい。制御部１７は、例えば、修正指示に基づく変更時刻と、第２表示部１６２が表示していた第２時刻との差が所定の値以下である場合に、再びのホーム地域に移動したと判定する。
【００４３】
図３は、本実施形態による電子時計１０の表示例を示す第２の図である。
図３（ａ）は、電子時計１０及び携帯機器２０を所持した使用者がホーム地域にいる場合における電子時計１０の表示例を示している。また、図３（ｂ）は、電子時計１０及び携帯機器２０を所持した使用者がローカル地域（第１のローカル地域）に移動した場合における電子時計１０の表示例を示している。図３（ａ）及び図３（ｂ）に示す表示例は、図２（ａ）及び図２（ｂ）に示す表示例と同様であるので、ここではその説明を省略する。
【００４４】
また、図３（ｃ）は、電子時計１０及び携帯機器２０を所持した使用者が第１のローカル地域からさらに別のローカル地域（第２のローカル地域）に移動した場合における電子時計１０の表示例を示している。この場合、携帯機器２０の第１通信部２１が、携帯電話キャリアのサーバ装置から時刻情報（第２のローカル地域に対応する“０９時０８分”であるという時刻情報）を取得し、機器制御部２３は、携帯機器２０の時計機能の時刻を“０９時０８分”に修正する。そして、機器制御部２３は、第２通信部２２に、時刻情報を含む時刻の修正指示を電子時計１０に向けて送信させる。
【００４５】
電子時計１０の制御部１７は、通信部１１が時刻の修正指示を受信した場合に、第１表示部１６１が表示する第１時刻を時刻情報に基づく変更時刻に変更（修正）させる。この例では、制御部１７は、第２のローカル地域に対応する変更時刻“０９時０８分”を時刻表示部１６の第１表示部１６１に表示させる。
【００４６】
また、この場合、第２表示部１６２が表示する第２時刻が、ホーム地域に対応する時刻“１０時０８分”であり、且つ、変更時刻が、ローカル地域に対応する時刻と異なる場合に相当する。そのため、制御部１７は、第２時刻を変更する第２変更指示をモータドライバ１４に出力せずに、現在の第２時刻“１０時０８分”を維持する。その結果、時刻表示部１６は、図３（ｃ）に示すように、第１表示部１６１が、第２のローカル地域に対応する変更時刻“０９時０８分”を表示し、第２表示部１６２が、ホーム地域に対応する時刻“１０時０８分”を表示する。
このように、本実施形態における電子時計１０では、図２及び図３に示すように、第１表示部１６１が表示する第１時刻が、電子時計１０及び携帯機器２０を所持した使用者が移動した地域に対応する時刻に自動的に変更される。また、本実施形態における電子時計１０は、図２及び図３に示すように、第１表示部１６１と第２表示部１６２とのいずれか一方に、ホーム地域（予め定められた所定の地域の一例）に対応する時刻（例えば、“１０時０８分”）を表示する。
【００４７】
次に、図４を参照して、本実施形態による電子時計１０の動作の手順について説明する。
図４は、本実施形態による電子時計１０の動作の一例を示すフローチャートである。
この図において、まず、電子時計１０の通信部１１が、任意に通信可能状態に設定された後、電子時計１０の制御部１７は、時刻情報を受信したか否かを判定する（ステップＳ１０１）。すなわち、制御部１７は、通信部１１が時刻情報を含む時刻の修正指示を携帯機器２０から受信したか否かを判定する。制御部１７は、通信部１１が時刻情報を含む時刻の修正指示を携帯機器２０から受信した場合（ステップＳ１０１：ＹＥＳ）に、処理をステップＳ１０２に進める。また、制御部１７は、通信部１１が時刻情報を含む時刻の修正指示を携帯機器２０から受信していない場合（ステップＳ１０１：ＮＯ）に、処理をステップＳ１０１に戻し、ステップＳ１０１の処理を繰り返す。
【００４８】
次に、ステップＳ１０２において、制御部１７は、第２表示部１６２の時刻がホーム時刻であるか否かを判定する。なお、図４において、上述したホーム地域に対応する時刻を“ホーム時刻”と表記する。制御部１７は、例えば、記憶部１２が記憶している情報に基づいて、第２表示部１６２が表示している第２時刻が、ホーム時刻であるか否かを判定する。制御部１７は、第２表示部１６２が表示している第２時刻が、ホーム時刻である場合（ステップＳ１０２：ＹＥＳ）に、処理をステップＳ１０３に進める。また、制御部１７は、第２表示部１６２が表示している第２時刻が、ホーム時刻であない場合（ステップＳ１０２：ＮＯ）に、処理をステップＳ１０４に進める。
【００４９】
次に、ステップＳ１０３において、制御部１７は、時刻情報に基づく時刻（変更時刻）がホーム時刻であるか否かを判定する。制御部１７は、例えば、記憶部１２が記憶している情報に基づいて、ホーム時刻を取得し、変更時刻がホーム時刻であるか否かを判定する。制御部１７は、変更時刻がホーム時刻である場合（ステップＳ１０３：ＹＥＳ）に、処理をステップＳ１０４に進める。また、制御部１７は、変更時刻がホーム時刻でない場合（ステップＳ１０３：ＮＯ）に、処理をステップＳ１０６に進める。
【００５０】
ステップＳ１０４において、制御部１７は、第１表示部１６１の時刻（第１時刻）を、上述した時刻情報に基づく時刻（変更時刻）に変更する第１変更指示を、モータドライバ１４に出力する。これにより、第１表示部１６１は、修正された時刻を表示する。
【００５１】
また、次に、制御部１７は、第２表示部１６２の時刻（第２時刻）を、変更前の第１表示部１６１の時刻（変更前時刻）に変更する第２変更指示をモータドライバ１４に出力する（ステップＳ１０５）。これにより、第２表示部１６２は、変更前（修正前）の第１表示部１６１の時刻（変更前時刻）を表示する。ステップＳ１０４及びステップＳ１０５の処理により、電子時計１０は、上述した図２に示すように、時刻表示部１６が表示する時刻を変更する。
ステップＳ１０５の処理後に、制御部１７は、処理をステップＳ１０１に戻す。
【００５２】
また、ステップＳ１０６において、制御部１７は、第１表示部１６１の時刻（第１時刻）を、上述した時刻情報に基づく時刻（変更時刻）に変更する第１変更指示を、モータドライバ１４に出力する。これにより、第１表示部１６１は、修正された時刻を表示する。
ステップＳ１０６の処理後に、制御部１７は、第２変更指示の出力を禁止する。すなわち、制御部１７は、第２表示部１６２の時刻（第２時刻）を、変更前の第１表示部１６１の時刻（変更前時刻）に変更させない。このように、制御部１７は、第２時刻がすでにホーム地域に対応する時刻であり、且つ、変更時刻が、ホーム時刻と異なる場合に、第２変更指示の出力を禁止する。ステップＳ１０６の処理により、電子時計１０は、上述した図３（ｂ）から図３（ｃ）に示すように、時刻表示部１６が表示する時刻を変更する。ステップＳ１０６の処理後に、制御部１７は、処理をステップＳ１０１に戻す。
【００５３】
次に、図５〜図７を参照して、本実施形態による電子時計１０の処理の変形例について説明する。
＜第１変形例＞
本実施形態の第１変形例では、制御部１７が、変更時刻と変更前時刻との差に基づいて、時刻の修正が地域を移動したことによるものであるか否かを判定する場合の一例について説明する。
【００５４】
本変形例では、制御部１７は、時刻情報に基づく時刻（変更時刻）と、第１表示部１６１が表示している変更前時刻との差が、所定の値以内（例えば、１５分以内）である場合に、第２変更指示の出力を禁止する。すなわち、制御部１７は、上述した変更時刻と変更前時刻との差が所定の値以内である場合に、時刻の修正が地域を移動したことによるものでない（例えば、時刻の修正が、計時回路１３の計時誤差の修正である）と判定し、第２表示部１６２が表示する第２時刻の変更を実行しない。すなわち、制御部１７は、第１変更指示が地域を移動したことに起因しない場合に、第２変更指示の出力を禁止する。
また、制御部１７は、上述した変更時刻と変更前時刻との差が所定の値以内でない場合に、時刻の修正が地域を移動したことによるものであると判定する。すなわち、制御部１７は、第１変更指示が地域を移動したことに起因する場合に、第２変更指示を出力する。
【００５５】
図５は、本実施形態による電子時計１０の動作の第１変形例を示すフローチャートである。
図５において、まず、電子時計１０の通信部１１が、任意に通信可能状態に設定された後、電子時計１０の制御部１７は、上述した図４に示すステップＳ１０１と同様に、時刻情報を受信したか否かを判定する（ステップＳ２０１）。制御部１７は、例えば、通信部１１が時刻情報を含む時刻の修正指示を携帯機器２０から受信した場合（ステップＳ２０１：ＹＥＳ）に、処理をステップＳ２０２に進める。また、制御部１７は、通信部１１が時刻情報を含む時刻の修正指示を携帯機器２０から受信していない場合（ステップＳ２０１：ＮＯ）に、処理をステップＳ２０１に戻し、ステップＳ２０１の処理を繰り返す。
【００５６】
次に、ステップＳ２０２において、制御部１７は、時刻情報に基づく時刻と第１表示部１６１の時刻との差が所定の値以内であるか否かを判定する。すなわち、制御部１７は、変更時刻と、第１表示部１６１が表示している変更前時刻との差が、例えば、１５分以内であるか否かを判定する。制御部１７は、当該変更時刻と変更前時刻との差が、所定の値以内（例えば、１５分以内）である場合（ステップＳ２０２：ＹＥＳ）に、時刻の修正が地域を移動したことによるものでないと判定し、処理をステップＳ２０７に進める。また、制御部１７は、当該変更時刻と変更前時刻との差が、所定の値以内（例えば、１５分以内）でない場合（ステップＳ２０２：ＮＯ）に、時刻の修正が地域を移動したことによるものであると判定し、処理をステップＳ２０３に進める。
【００５７】
続くステップＳ２０３からステップＳ２０７の処理は、上述した図４に示すステップＳ１０２からステップＳ１０６の処理と同様であるので、ここではその説明を省略する。
制御部１７は、時刻の修正が地域を移動したことによるものでないと判定した場合に、ステップＳ２０７において、第１表示部１６１の時刻（第１時刻）を、変更時刻に変更する第１変更指示を、モータドライバ１４に出力する。そして、この場合、制御部１７は、第２変更指示をモータドライバ１４に出力しない。
【００５８】
次に、本実施形態による電子時計１０の処理の第２変形例について説明する。
＜第２変形例＞
本実施形態の第２変形例では、制御部１７が、タイムゾーンに基づいて、時刻の修正が地域を移動したことによるものであるか否かを判定する場合の一例について説明する。
【００５９】
本変形例では、携帯機器２０から受信する上述した時刻に関する時刻情報には、共通の標準時を使用する地域を示すタイムゾーン情報が含まるものとする。本変形例における制御部１７は、通信部１１を介して携帯機器２０から受信したタイムゾーン情報が前回受信したタイムゾーン情報と等しい場合に、第２変更指示の出力を禁止する。なお、制御部１７は、受信したタイムゾーン情報を記憶部１２に前回受信したタイムゾーン情報として記憶させる。制御部１７は、例えば、今回受信したタイムゾーン情報と、記憶部１２が記憶している前回受信したタイムゾーン情報とを比較して、時刻の修正が地域を移動したことによるものであるか否かを判定する。
【００６０】
具体的に、制御部１７は、例えば、今回受信したタイムゾーン情報と、記憶部１２が記憶している前回受信したタイムゾーン情報とが一致する場合に、時刻の修正が地域を移動したことによるものでないと判定し、第２表示部１６２が表示する第２時刻の変更を実行しない。また、制御部１７は、例えば、今回受信したタイムゾーン情報と、記憶部１２が記憶している前回受信したタイムゾーン情報とが一致しない場合に、時刻の修正が地域を移動したことによるものであると判定する。
【００６１】
図６は、本実施形態による電子時計１０の動作の第２変形例を示すフローチャートである。
図６において、まず、電子時計１０の通信部１１が、任意に通信可能状態に設定された後、電子時計１０の制御部１７は、上述した図４に示すステップＳ１０１と同様に、時刻情報を受信したか否かを判定する（ステップＳ３０１）。なお、本変形例では、時刻情報に、タイムゾーン情報が含まれている。制御部１７は、例えば、通信部１１が時刻情報を含む時刻の修正指示を携帯機器２０から受信した場合（ステップＳ３０１：ＹＥＳ）に、処理をステップＳ３０２に進める。また、制御部１７は、通信部１１が時刻情報を含む時刻の修正指示を携帯機器２０から受信していない場合（ステップＳ３０１：ＮＯ）に、処理をステップＳ３０１に戻し、ステップＳ３０１の処理を繰り返す。
【００６２】
次に、ステップＳ３０２において、制御部１７は、時刻情報に含まれるタイムゾーン情報が前回と等しいか否かを判定する。すなわち、制御部１７は、例えば、今回受信したタイムゾーン情報と、記憶部１２が記憶している前回受信したタイムゾーン情報とが一致するか否かを判定する。制御部１７は、今回受信したタイムゾーン情報と、前回受信したタイムゾーン情報とが一致する場合（ステップＳ３０２：ＹＥＳ）に、時刻の修正が地域を移動したことによるものでないと判定し、処理をステップＳ３０７に進める。また、制御部１７は、今回受信したタイムゾーン情報と、前回受信したタイムゾーン情報とが一致しない場合（ステップＳ３０２：ＮＯ）に、時刻の修正が地域を移動したことによるものであると判定し、処理をステップＳ３０３に進める。
【００６３】
続くステップＳ３０３からステップＳ３０７の処理は、上述した図５に示すステップＳ２０３からステップＳ２０７の処理と同様であるので、ここではその説明を省略する。
制御部１７は、時刻の修正が地域を移動したことによるものでないと判定した場合に、ステップＳ３０７において、第１表示部１６１の時刻（第１時刻）を、変更時刻に変更する第１変更指示を、モータドライバ１４に出力する。そして、この場合、制御部１７は、第２変更指示をモータドライバ１４に出力しない。
【００６４】
次に、本実施形態による電子時計１０の処理の第３変形例について説明する。
＜第３変形例＞
本実施形態の第３変形例では、制御部１７が、サマータイム情報に基づいて、時刻の修正が地域を移動したことによるものであるか否かを判定する場合の一例について説明する。
【００６５】
本変形例では、携帯機器２０から受信する上述した時刻に関する時刻情報には、季節に応じて標準時を変更するサマータイム情報が含まるものとする。本変形例における制御部１７は、サマータイム情報に基づいて第１表示部１６１が表示する第１時刻を変更する場合に、第２変更指示の出力を禁止する。制御部１７は、例えば、通信部１１を介して携帯機器２０から受信したサマータイム情報と前回受信したサマータイム情報とが異なる場合に、第２変更指示の出力を禁止する。なお、制御部１７は、受信したサマータイム情報を記憶部１２に前回受信したサマータイム情報として記憶させる。制御部１７は、例えば、今回受信したサマータイム情報と、記憶部１２が記憶している前回受信したサマータイム情報とを比較して、時刻の修正が地域を移動したことによるものであるか否かを判定する。
【００６６】
具体的に、制御部１７は、例えば、今回受信したサマータイム情報と、記憶部１２が記憶している前回受信したサマータイム情報とが一致しない場合に、時刻の修正が地域を移動したことによるものでないと判定し、第２表示部１６２が表示する第２時刻の変更を実行しない。また、制御部１７は、例えば、今回受信したサマータイム情報と、記憶部１２が記憶している前回受信したサマータイム情報とが一致する場合に、時刻の修正が地域を移動したことによるものであると判定する。
【００６７】
図７は、本実施形態による電子時計１０の動作の第３変形例を示すフローチャートである。
図７において、まず、電子時計１０の通信部１１が、任意に通信可能状態に設定された後、電子時計１０の制御部１７は、上述した図４に示すステップＳ１０１と同様に、時刻情報を受信したか否かを判定する（ステップＳ４０１）。なお、本変形例では、時刻情報に、サマータイム情報が含まれている。制御部１７は、例えば、通信部１１が時刻情報を含む時刻の修正指示を携帯機器２０から受信した場合（ステップＳ４０１：ＹＥＳ）に、処理をステップＳ４０２に進める。また、制御部１７は、通信部１１が時刻情報を含む時刻の修正指示を携帯機器２０から受信していない場合（ステップＳ４０１：ＮＯ）に、処理をステップＳ４０１に戻し、ステップＳ４０１の処理を繰り返す。
【００６８】
次に、ステップＳ４０２において、制御部１７は、時刻情報に含まれるサマータイム情報が前回と等しいか否かを判定する。すなわち、制御部１７は、例えば、今回受信したサマータイム情報と、記憶部１２が記憶している前回受信したサマータイム情報とが一致するか否かを判定する。制御部１７は、今回受信したサマータイム情報と、前回受信したサマータイム情報とが一致する場合（ステップＳ４０２：ＹＥＳ）に、時刻の修正が地域を移動したことによるものであると判定し、処理をステップＳ４０３に進める。また、制御部１７は、今回受信したサマータイム情報と、前回受信したサマータイム情報とが一致しない場合（ステップＳ４０２：ＮＯ）に、時刻の修正が地域を移動したことによるものでないと判定し、処理をステップＳ４０７に進める。
【００６９】
続くステップＳ４０３からステップＳ４０７の処理は、上述した図５に示すステップＳ２０３からステップＳ２０７の処理と同様であるので、ここではその説明を省略する。
制御部１７は、時刻の修正が地域を移動したことによるものでないと判定した場合に、ステップＳ４０７において、第１表示部１６１の時刻（第１時刻）を、変更時刻に変更する第１変更指示を、モータドライバ１４に出力する。そして、この場合、制御部１７は、第２変更指示をモータドライバ１４に出力しない。
【００７０】
なお、上述した本実施形態による電子時計１０の変形例についての説明では、第１変形例〜第３変形例のそれぞれを単独で実施する例を説明したが、これに限定されるものではなく、各変形例を組み合わせて実施するようにしてもよい。
【００７１】
以上説明したように、本実施形態による電子時計１０は、時刻表示部１６と、制御部１７と、表示駆動部１５とを備えている。時刻表示部１６は、時刻を表示する第１表示部１６１（第１時刻表示部）及び第２表示部１６２（第２時刻表示部）を含む。制御部１７は、第１変更指示を出力するとともに、第２変更指示を出力する。ここで、第１変更指示は、第１表示部１６１が表示する第１時刻を、受信した時刻に関する時刻情報に基づく時刻に変更させる。第２変更指示は、第２表示部１６２が表示する第２時刻を、時刻情報に基づく時刻に変更する前に第１表示部１６１に表示されていた変更前時刻に変更させる。表示駆動部１５は、制御部１７が出力した第１変更指示に基づいて、第１時刻を変更するとともに、制御部１７が出力した第２変更指示に基づいて、第２時刻を変更する。
これにより、本実施形態による電子時計１０は、受信した時刻情報に基づいて、第１表示部１６１及び第２表示部１６２に表示する時刻を適切に変更するので、利便性を向上させることができる。
【００７２】
例えば、電子時計１０と携帯機器２０とを所持した使用者が、地域を移動した場合に、本実施形態による電子時計１０は、使用者による操作を必要とせずに自動的に、第１表示部１６１に表示する時刻を、移動した先の地域に対応した時刻に変更することができる。さらに、本実施形態による電子時計１０は、移動した先の地域に対応した時刻と同時に、例えば、移動前に表示していたホーム地域などの使用頻度の高い地域の時刻を表示することができる。このように、本実施形態による電子時計１０は、所望の時刻を得るために、使用者による煩雑な操作を必要としない。また、使用者は、移動した先の地域に対応した時刻と、使用頻度の高い地域の時刻とを同時に確認できるので、本実施形態による電子時計１０は、利便性を向上させることができる。
【００７３】
また、本実施形態では、制御部１７は、第１変更指示が地域を移動したことに起因する場合に、第２変更指示を出力し、第１変更指示が地域を移動したことに起因しない場合に、第２変更指示の出力を禁止する。
これにより、本実施形態による電子時計１０は、地域を移動したことに起因して時刻を修正する場合に、第２表示部１６２に表示する時刻を変更する。そのため、本実施形態による電子時計１０は、例えば、計時回路１３の計時誤差の修正などにより、時刻を変更する場合に、誤って第２表示部１６２に表示する時刻を変更してしまうことを防止することができる。
【００７４】
また、本実施形態では、時刻情報には、修正する時刻を示す情報（例えば、“１２時０８分”などの情報）が含まれる。制御部１７は、携帯機器２０から通信部１１を介して受信した修正する時刻を示す情報に基づいて、第１変更指示を出力する。
これにより、制御部１７は、第１変更指示をより容易に出力することができる。
【００７５】
また、本実施形態では、制御部１７は、時刻情報に基づく時刻（変更時刻）と、変更前時刻との差が、所定の値以内（例えば、１５分以内）である場合に、第２変更指示の出力を禁止する。
これにより、本実施形態による電子時計１０は、地域を移動したことに起因して時刻を修正するのか否かを容易に判定することができる。よって、本実施形態による電子時計１０は、地域を移動したことに起因しない時刻の修正に対して、誤って第２表示部１６２に表示する時刻を変更してしまうことを防止することができる。すなわち、本実施形態による電子時計１０は、時刻表示部１６に表示する時刻をより適切に変更することができる。
【００７６】
また、本実施形態では、時刻情報には、共通の標準時を使用する地域を示すタイムゾーン情報が含まれる。制御部１７は、受信したタイムゾーン情報が前回受信したタイムゾーン情報と等しい場合に、第２変更指示の出力を禁止する。
これにより、本実施形態による電子時計１０は、地域を移動したことに起因しない時刻の修正に対して、誤って第２表示部１６２に表示する時刻を変更してしまうことを防止することができる。
【００７７】
また、本実施形態では、時刻情報には、季節に応じて標準時を変更するサマータイム情報が含まれる。制御部１７は、サマータイム情報に基づいて第１時刻を変更する場合に、第２変更指示の出力を禁止する。
これにより、本実施形態による電子時計１０は、地域を移動したことに起因しない時刻の修正（例えば、サマータイムによる時刻の修正）に対して、誤って第２表示部１６２に表示する時刻を変更してしまうことを防止することができる。
【００７８】
また、本実施形態では、制御部１７は、第２時刻が、予め定められた所定の地域（例えば、ホーム地域など）に対応する時刻であり、且つ、時刻情報に基づく時刻（変更時刻）が、所定の地域に対応する時刻と異なる場合に、第２変更指示の出力を禁止する。
これにより、本実施形態による電子時計１０は、例えば、予め定められた所定の地域（例えば、ホーム地域など）以外の地域に連続して２回以上移動した場合に、所定の地域に対応する時刻の表示が時刻表示部１６に表示されない状況が発生することを低減することができる。すなわち、本実施形態による電子時計１０は、予め定められた所定の地域（例えば、ホーム地域など）に対応する時刻を時刻表示部１６に常に表示するので、利便性を向上させることができる。
【００７９】
また、本実施形態による電子時計１０は、さらに、時刻情報を無線通信により受信する通信部１１（受信部）と、少なくとも通信部１１及び表示駆動部１５を動作させる電力を発電する太陽電池１８１とを備えている。
これにより、本実施形態による電子時計１０は、太陽電池１８１を使用することにより、電池交換を必要とせずに使用することができる。
【００８０】
（第２の実施形態）
次に、第２の実施形態による電子時計について、図面を参照して説明する。
図８は、本実施形態による時計システム１ａの一例を示すブロック図である。
図８に示すように、時計システム１ａは、電子時計１０ａと、携帯機器２０とを備えている。
本実施形態では、電子時計１０ａが、時刻表示部１６ａに３つの時刻を表示する場合の一例を説明する。
なお、図８において、図１に示す構成と同一の構成については同一の符号を付し、その説明を省略する。
【００８１】
電子時計１０ａは、例えば、腕時計などの時計であり、携帯機器２０と無線通信により接続可能である。電子時計１０ａは、例えば、アナログ表示により３つの時刻を表示する。また、電子時計１０ａは、通信部１１と、記憶部１２と、計時回路１３と、モータドライバ１４ａと、表示駆動部１５ａと、時刻表示部１６ａと、制御部１７ａと、電力供給部１８とを備えている。
【００８２】
モータドライバ１４ａは、表示駆動部１５ａ（モータ１５１〜１５３）を駆動するモータ駆動信号を出力する。
表示駆動部１５ａは、時刻表示部１６ａに表示する時刻を進めるため、又は時刻を変更（修正）するための駆動動作を実行する。表示駆動部１５ａは、例えば、計時回路１３からがモータドライバ１４ａに出力した駆動指示に基づいて、時刻表示部１６ａに表示する時刻を進める。また、表示駆動部１５ａは、例えば、後述する制御部１７ａがモータドライバ１４ａに出力した時刻の変更指示に基づいて、時刻表示部１６ａに表示する時刻を変更（修正）する。また、表示駆動部１５ａは、モータ１５１と、モータ１５２と、モータ１５３とを備えている。
【００８３】
モータ１５１〜１５３は、例えば、ステッピングモータである。モータ１５１は、第１表示部１６１の指針を移動させて、時刻を進める又は変更する。また、モータ１５２は、第２表示部１６２の指針を移動させて、時刻を進める又は変更する。また、モータ１５３は、第３表示部１６３の指針を移動させて、時刻を進める又は変更する。
【００８４】
時刻表示部１６ａは、例えば、文字盤及び指針を含み、文字盤上の指針の角度により時刻を表示する。また、時刻表示部１６ａは、時刻を表示する第１表示部１６１、第２表示部１６２、及び第３表示部１６３を含んでいる。
第１表示部１６１（第１時刻表示部の一例）は、例えば、時刻表示部１６ａの中央部に配置され、文字盤上の指針の角度により第１時刻を表示する。
第２表示部１６２（第２時刻表示部の一例）は、例えば、時刻表示部１６ａの上方部に配置され、文字盤上の指針の角度により第２時刻を表示する。
第３表示部１６３（第３時刻表示部の一例）は、例えば、時刻表示部１６ａの下方部に配置され、文字盤上の指針の角度により第３時刻を表示する。
【００８５】
制御部１７ａは、例えば、ＣＰＵなどを含むプロセッサであり、電子時計１０ａを統括的に制御する。制御部１７ａの基本的な処理は、第１の実施形態の制御部１７と同様であるが、本実施形態では、時刻表示部１６ａが、第３表示部１６３を含むため、第３表示部１６３に関する処理が異なる。
【００８６】
例えば、図３（ｃ）に示すように、電子時計１０ａ及び携帯機器２０を所持した使用者が第１のローカル地域からさらに別のローカル地域（第２のローカル地域）に移動した場合に、制御部１７ａは、第３表示部１６３に表示する時刻（第３時刻）を、第１表示部１６１が表示していた変更前時刻に変更させる。すなわち、制御部１７ａは、第２時刻が、所定の地域（例えば、ホーム地域）に対応する時刻であり、且つ、時刻情報に基づく時刻が、所定の地域に対応する時刻と異なる場合に、第３表示部１６３が表示する第３時刻を、変更前時刻に変更させる第３変更指示を出力する。
【００８７】
図９は、本実施形態による電子時計１０ａの表示例を示す第１の図である。
図９（ａ）は、電子時計１０ａ及び携帯機器２０を所持した使用者がホーム地域からローカル地域（第１のローカル地域）に移動した場合における電子時計１０ａの表示例を示している。
図９（ａ）に示す例では、第１表示部１６１は、第１のローカル地域に対応する時刻“１２時０８分”を表示しており、第２表示部１６２は、ホーム地域に対応する時刻“１０時０８分”を表示している。また、第３表示部１６３は、ホーム地域以外のその他の地域に対応する時刻“０６時０８分”を表示している。
【００８８】
また、図９（ｂ）は、電子時計１０ａ及び携帯機器２０を所持した使用者が第１のローカル地域からさらに別のローカル地域（第２のローカル地域）に移動した場合における電子時計１０ａの表示例を示している。この場合、携帯機器２０の第１通信部２１が、携帯電話キャリアのサーバ装置から時刻情報（第２のローカル地域に対応する“０９時０８分”であるという時刻情報）を取得し、機器制御部２３は、携帯機器２０の時計機能の時刻を“０９時０８分”に修正する。そして、機器制御部２３は、第２通信部２２に、時刻情報を含む時刻の修正指示を電子時計１０ａに向けて送信させる。
【００８９】
電子時計１０ａの制御部１７ａは、通信部１１が、任意に通信可能状態に設定された後、時刻の修正指示を受信した場合に、第１表示部１６１が表示する第１時刻を時刻情報に基づく変更時刻に変更（修正）させる。この例では、制御部１７ａは、第２のローカル地域に対応する変更時刻“０９時０８分”を時刻表示部１６ａの第１表示部１６１に表示させる。
【００９０】
また、この場合、第２表示部１６２が表示する第２時刻が、ホーム地域に対応する時刻“１０時０８分”であり、且つ、変更時刻が、ローカル地域に対応する時刻と異なる場合に相当する。そのため、制御部１７ａは、上述した第１のローカル地域に対応する時刻“１２時０８分”（変更前時刻）を、第３表示部１６３に表示させる。すなわち、制御部１７ａは、第３表示部１６３が表示する第３時刻を、変更前時刻に変更させる第３変更指示を出力する。その結果、時刻表示部１６ａは、図９（ｂ）に示すように、第１表示部１６１が、第２のローカル地域に対応する変更時刻“０９時０８分”を表示し、第２表示部１６２が、ホーム地域に対応する時刻“１０時０８分”を表示する。また、第３表示部１６３が、第１のローカル地域に対応する時刻“１２時０８分”を表示する。
【００９１】
このように、本実施形態における電子時計１０ａでは、図９に示すように、第１表示部１６１が表示する第１時刻が、電子時計１０ａ及び携帯機器２０を所持した使用者が移動した地域に対応する時刻に自動的に変更される。また、本実施形態における電子時計１０ａは、図９に示すように、第１表示部１６１と第２表示部１６２とのいずれか一方に、ホーム地域（予め定められた所定の地域の一例）に対応する時刻（例えば、“１０時０８分”）を表示する。そして、本実施形態における電子時計１０ａは、図９に示すように、第３表示部１６３に、現在のローカル地域の前に移動したローカル地域（例えば、第１のローカル地域）に対応する時刻（例えば、“１２時０８分”）を表示する。
【００９２】
以上説明したように、本実施形態による電子時計１０ａでは、時刻表示部１６ａは、さらに第３表示部１６３（第３時刻表示部）を含んでいる。そして、制御部１７ａは、第２時刻が、所定の地域（例えば、ホーム地域）に対応する時刻であり、且つ、時刻情報に基づく時刻（変更時刻）が、所定の地域に対応する時刻と異なる場合に、第３表示部１６３が表示する第３時刻を、変更前時刻に変更させる第３変更指示を出力する。
これにより、本実施形態による電子時計１０ａは、使用者による操作を必要とせずに自動的に、第１表示部１６１に表示する時刻を、移動した先の地域に対応した時刻に変更することができる。そして、本実施形態による電子時計１０ａは、例えば、移動した先の地域に対応した時刻（例えば、“０９時０８分”）、ホーム地域に対応する時刻（例えば、“１０時０８分”）、及び現在のローカル地域の１つ前にいた地域に対応する時刻（例えば、“１２時０８分”）を同時に表示することができる。そのため、本実施形態による電子時計１０ａは、さらに利便性を向上させることができる。
【００９３】
次に、図１０を参照して、第２の実施形態による電子時計１０ａの処理の変形例について説明する。
＜第４変形例＞
図１０は、本実施形態の第４変形例による電子時計１０ａの表示例を示す図である。
図１０（ａ）は、電子時計１０ａ及び携帯機器２０を所持した使用者がホーム地域からローカル地域（第１のローカル地域）に移動した場合における電子時計１０ａの表示例を示している。
図１０（ａ）に示す例では、第１表示部１６１は、第１のローカル地域に対応する時刻“１２時０８分”を表示しており、第２表示部１６２は、ホーム地域に対応する時刻“１０時０８分”を表示している。また、第３表示部１６３は、ホーム地域以外のその他の地域に対応する時刻“０６時０８分”を表示している。
【００９４】
また、図１０（ｂ）は、電子時計１０ａ及び携帯機器２０を所持した使用者が第１のローカル地域からさらに別のローカル地域（第２のローカル地域）に移動した場合における電子時計１０ａの表示例を示している。この場合、携帯機器２０の第１通信部２１が、携帯電話キャリアのサーバ装置から時刻情報（第２のローカル地域に対応する“０９時０８分”であるという時刻情報）を取得し、機器制御部２３は、携帯機器２０の時計機能の時刻を“０９時０８分”に修正する。そして、機器制御部２３は、第２通信部２２に、時刻情報を含む時刻の修正指示を電子時計１０ａに向けて送信させる。
【００９５】
電子時計１０ａの制御部１７ａは、通信部１１が、任意に通信可能状態に設定された後、時刻の修正指示を受信した場合に、第１表示部１６１が表示する第１時刻を時刻情報に基づく変更時刻に変更（修正）させる。この例では、制御部１７ａは、第２のローカル地域に対応する変更時刻“０９時０８分”を時刻表示部１６ａの第１表示部１６１に表示させる。
【００９６】
また、制御部１７ａは、上述した第１のローカル地域に対応する時刻“１２時０８分”（変更前時刻）を、第２表示部１６２に表示させ、第２表示部１６２が表示していたホーム地域に対応する時刻“１０時０８分”を第３表示部１６３に表示させる。すなわち、制御部１７ａは、第２表示部１６２が表示する第２時刻を、変更前時刻に変更させる第２変更指示を出力し、第３表示部１６３が表示する第３時刻を、第２表示部１６２が表示していたホーム地域に対応する時刻に変更させる第３変更指示を出力する。その結果、時刻表示部１６ａは、図１０（ｂ）に示すように、第１表示部１６１が、第２のローカル地域に対応する変更時刻“０９時０８分”を表示し、第２表示部１６２が、第１のローカル地域に対応する時刻“１２時０８分”を表示する。また、第３表示部１６３が、ホーム地域に対応する時刻“１０時０８分”を表示する。
【００９７】
また、図１０（ｃ）は、電子時計１０ａ及び携帯機器２０を所持した使用者が第２のローカル地域からさらに別のローカル地域（第３のローカル地域）に移動した場合における電子時計１０ａの表示例を示している。この場合、携帯機器２０の第１通信部２１が、携帯電話キャリアのサーバ装置から時刻情報（第２のローカル地域に対応する“０１時０８分”であるという時刻情報）を取得し、機器制御部２３は、携帯機器２０の時計機能の時刻を“０１時０８分”に修正する。そして、機器制御部２３は、第２通信部２２に、時刻情報を含む時刻の修正指示を電子時計１０ａに向けて送信させる。
【００９８】
電子時計１０ａの制御部１７ａは、通信部１１が、任意に通信可能状態に設定された後、時刻の修正指示を受信した場合に、第１表示部１６１が表示する第１時刻を時刻情報に基づく変更時刻に変更（修正）させる。この例では、制御部１７ａは、第３のローカル地域に対応する変更時刻“０１時０８分”を時刻表示部１６ａの第１表示部１６１に表示させる。すなわち、制御部１７ａは、第１表示部１６１が表示する第１時刻を、第３のローカル地域に対応する変更時刻に変更させる第１変更指示を出力する。
【００９９】
また、制御部１７ａは、上述した第２のローカル地域に対応する時刻“０９時０８分”（変更前時刻）を、第２表示部１６２に表示させる。また、制御部１７ａは、第２表示部１６２が表示していた第１のローカル地域に対応する時刻“１２時０８分”を第３表示部１６３に表示させずに、第３表示部１６３にホーム地域に対応する時刻“１０時０８分”の表示を維持させる。すなわち、制御部１７ａは、第２表示部１６２が表示する第２時刻を、変更前時刻に変更させる第２変更指示を出力し、第３表示部１６３が表示する第３時刻を変更させる第３変更指示を出力しない。その結果、時刻表示部１６ａは、図１０（ｃ）に示すように、第１表示部１６１が、第３のローカル地域に対応する変更時刻“０１時０８分”を表示し、第２表示部１６２が、第２のローカル地域に対応する時刻“０９時０８分”を表示する。また、第３表示部１６３が、ホーム地域に対応する時刻“１０時０８分”を表示する。
【０１００】
以上説明したように、本変形例における電子時計１０ａでは、図１０に示すように、第１表示部１６１が表示する第１時刻が、電子時計１０ａ及び携帯機器２０を所持した使用者が移動した地域に対応する時刻に自動的に変更される。また、本実施形態における電子時計１０ａは、図１０に示すように、第１表示部１６１と第２表示部１６２と第３表示部１６３とのいずれか１つに、ホーム地域（予め定められた所定の地域の一例）に対応する時刻（例えば、“１０時０８分”）を表示する。
これにより、本変形例による電子時計１０ａは、使用者による操作を必要とせずに自動的に、第１表示部１６１に表示する時刻を、移動した先の地域に対応した時刻に変更することができる。そして、本実施形態による電子時計１０ａは、例えば、移動した先の地域に対応した時刻（例えば、“０１時０８分”）、現在のローカル地域の１つ前にいた地域に対応する時刻（例えば、“０９時０８分”）、及びホーム地域に対応する時刻（例えば、“１０時０８分”）を同時に表示することができる。そのため、本実施形態による電子時計１０ａは、さらに利便性を向上させることができる。
【０１０１】
（第３の実施形態）
次に、第３の実施形態による電子時計について、図面を参照して説明する。
図１１は、本実施形態による時計システム１ｂの一例を示すブロック図である。
図１１に示すように、時計システム１ｂは、電子時計１０ｂと、携帯機器２０とを備えている。
本実施形態では、電子時計１０ｂが、デジタル表示により時刻を表示する時刻表示部１６ｂを備える場合の一例について説明する。
なお、図１１において、図８に示す構成と同一の構成については同一の符号を付し、その説明を省略する。
【０１０２】
電子時計１０ｂは、例えば、腕時計などの時計であり、携帯機器２０と無線通信により接続可能である。電子時計１０ｂは、例えば、デジタル表示により３つの時刻を表示する。また、電子時計１０ｂは、通信部１１と、記憶部１２と、計時回路１３と、液晶ドライバ部１５ｂと、時刻表示部１６ｂと、制御部１７ａと、電力供給部１８とを備えている。
【０１０３】
時刻表示部１６ｂは、例えば、液晶ディスプレイを含み、デジタル表示により時刻を表示する。また、時刻表示部１６ｂは、時刻を表示する第１表示部１６１ａ、第２表示部１６２ａ、及び第３表示部１６３ａを含んでいる。
第１表示部１６１ａ（第１時刻表示部の一例）は、例えば、時刻表示部１６ｂの中央部に配置され、デジタル表示により第１時刻を表示する。
第２表示部１６２ａ（第２時刻表示部の一例）は、例えば、時刻表示部１６ｂの左下方部に配置され、デジタル表示により第２時刻を表示する。
第３表示部１６３ａ（第３時刻表示部の一例）は、例えば、時刻表示部１６ｂの右下方部に配置され、デジタル表示により第３時刻を表示する。
【０１０４】
液晶ドライバ部１５ｂ（表示駆動部の一例）は、液晶ディスプレイを含む時刻表示部１６ｂを駆動する駆動信号を出力して、時刻表示部１６ｂの駆動動作を実行する。液晶ドライバ部１５ｂは、例えば、時刻表示部１６ｂに表示する時刻を進めるため、又は時刻を変更（修正）するための駆動動作を実行する。液晶ドライバ部１５ｂは、例えば、計時回路１３が出力した駆動指示に基づいて、時刻表示部１６ｂに表示する時刻を進める。また、液晶ドライバ部１５ｂは、例えば、制御部１７ａが出力した時刻の変更指示に基づいて、時刻表示部１６ｂに表示する時刻を変更（修正）する。
【０１０５】
なお、本実施形態における計時回路１３は、時刻の計時に伴い、時刻表示部１６ｂに表示する時刻を進めるための駆動指示を液晶ドライバ部１５ｂに出力する。
また、本実施形態における制御部１７ａは、第１変更指示、第２変更指示、及び第３変更指示を液晶ドライバ部１５ｂに出力する。
【０１０６】
以上説明したように、本実施形態による電子時計１０ｂは、液晶ディスプレイを含む時刻表示部１６ｂと、時刻表示部１６ｂに表示する時刻を変更する液晶ドライバ部１５ｂ（表示駆動部）と、上述した制御部１７ａとを備えている。
これにより、本実施形態による電子時計１０ｂは、第２の実施形態と同様の効果を奏する。すなわち、本実施形態による電子時計１０ｂは、第２の実施形態と同様に、利便性を向上させることができる。
【０１０７】
なお、本発明は、上記の各実施形態に限定されるものではなく、本発明の趣旨を逸脱しない範囲で変更可能である。
例えば、上記実施形態において、時刻表示部１６（１６ａ、１６ｂ）は、２つの時刻、又は３つの時刻を表示する例を説明したが、これに限定されるものではない。時刻表示部１６（１６ａ、１６ｂ）は、例えば、４つ以上の時刻を表示するようにしてもよい。
【０１０８】
また、上記の各実施形態において、時刻情報が、修正する時刻を示す情報である場合の例について説明したが、これに限定されるものではない。例えば、時刻情報は、タイムゾーン情報や位置情報など、時刻を算出（生成）可能な情報であれば、他の情報であってもよい。例えば、時刻情報が、タイムゾーン情報である場合、制御部１７（１７ａ）は、タイムゾーン情報に基づいて変更時刻を生成する。
【０１０９】
また、上記の各実施形態において、電子時計１０（１０ａ、１０ｂ）は、携帯機器２０から時刻情報を受信する例を説明したが、これに限定されるものではない。電子時計１０（１０ａ、１０ｂ）は、例えば、電波時計の送信局や、ＧＰＳ（Ｇｌｏｂａｌ  Ｐｏｓｉｔｉｏｎｉｎｇ  Ｓｙｓｔｅｍ）の人口衛星から通信部１１を介して時刻情報を受信するようにしてもよい。また、通信部１１が、無線ＬＡＮにより無線通信する場合には、ネットワーク上の時刻サーバから時刻情報を受信するようにしてもよい。
【０１１０】
また、上記の各実施形態において、携帯機器２０が、スマートフォンなどの携帯電話である場合の例を説明したが、これに限定されるものではなく、例えば、パーソナルコンピュータなどのコンピュータ装置、ＰＤＡ（Ｐｅｒｓｏｎａｌ  Ｄｉｇｉｔａｌ  Ａｓｓｉｓｔａｎｔ）、タブレット端末などであってもよい。
【０１１１】
また、上記の各実施形態において、電子時計１０（１０ａ、１０ｂ）が腕時計などの時計である例を説明したが、時計機能を備えた電子機器（例えば、ウェラブル端末、スマートフォンなどの携帯電話）などであってもよい。また、電子時計１０（１０ａ、１０ｂ）が時計機能を備えた電子機器である場合には、電子時計１０（１０ａ、１０ｂ）は、例えば、時計機能のアプリケーションプログラムを実行することにより実現されるようにしてもよい。
【０１１２】
なお、上述した時計システム１（１ａ、１ｂ）が備える各構成は、内部に、コンピュータシステムを有している。そして、上述した時計システム１（１ａ、１ｂ）が備える各構成の機能を実現するためのプログラムをコンピュータ読み取り可能な記録媒体に記録して、この記録媒体に記録されたプログラムをコンピュータシステムに読み込ませ、実行することにより上述した時計システム１（１ａ、１ｂ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１１３】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に時計システム１（１ａ、１ｂ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１１４】
また、上述した機能の一部又は全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１１５】
１，１ａ，１ｂ…時計システム、１０，１０ａ，１０ｂ…電子時計、２０…携帯機器、１１…通信部、１２…記憶部、１３…計時回路、１４，１４ａ…モータドライバ、１５，１５ａ…表示駆動部、１５ｂ…液晶ドライバ部、１６，１６ａ，１６ｂ…時刻表示部、１７，１７ａ…制御部、１８…電力供給部、２１…第１通信部、２２…第２通信部、２３…機器制御部、１５１，１５２，１５３…モータ、１６１，１６１ａ…第１表示部、１６２，１６２ａ…第２表示部、１６３、１６３ａ…第３表示部、１８１…太陽電池、１８２…蓄電池
【図１】
2017015399.tif 000003
【図２】
2017015399.tif 000004
【図３】
2017015399.tif 000005
【図４】
2017015399.tif 000006
【図５】
2017015399.tif 000007
【図６】
2017015399.tif 000008
【図７】
2017015399.tif 000009
【図８】
2017015399.tif 000010
【図９】
2017015399.tif 000011
【図１０】
2017015399.tif 000012
【図１１】
2017015399.tif 000013